(57)【要約】【課題】電力会社の作業員が路上機器内の作業を行う場合に、安全性を確保できるケーブルカバーを提案することを目的とする。【解決手段】ケーブルカバー１は、路上に設置される路上機器１１に用いられ、路上機器１１は、一側面に開口が形成された略箱状の筐体２と、この筐体２を開閉する扉３と、を備え、この筐体２内部には、電力会社の地中ケーブル１２が接続可能な電力会社側モールドジスコン４と、ユーザの地中ケーブル１３が接続可能なユーザ側モールドジスコン５と、これらモールドジスコン同士を接続するモールド母線６と、が設けられ、これらのモールドジスコンは、筐体２内部の背面に並んで配置され、ユーザ側モールドジスコン５の下方を覆うカバー部７と、筐体２内部の面に取り付けられてカバー部７を支持する支持部１０と、を備える。【選択図】図３
2010233303.tif 000002
【特許請求の範囲】
【請求項１】
路上に設置される路上機器に用いられるケーブルカバーであって、
前記路上機器は、一側面に開口が形成された略箱状の筐体と、この筐体を開閉する扉と、を備え、
当該筐体内部には、電力会社の地中ケーブルが接続可能な電力会社側モールドジスコンと、ユーザの地中ケーブルが接続可能なユーザ側モールドジスコンと、これらモールドジスコン同士を接続するモールド母線と、が設けられ、
前記モールドジスコンは、筐体内部の背面に並んで配置され、
前記ユーザ側モールドジスコンの下方を覆うカバー部と、
前記筐体内部の面に取り付けられて前記カバー部を支持する支持部と、を備えることを特徴とするケーブルカバー。
【請求項２】
前記支持部は、マグネットである、請求項１に記載のケーブルカバー。
【請求項３】
前記支持部は、前記筐体内部の背面に着脱される、請求項２に記載のケーブルカバー。
【請求項４】
前記カバー部は、矩形平板状の第１部材と、当該第１部材の両端から当該第１部材に対して略垂直に延びる一対の平板状の第２部材と、を備え、
前記支持部は、前記第２部材の先端に設けられる、請求項３に記載のケーブルカバー。
【発明の詳細な説明】
【技術分野】
【０００１】
本発明は、路上に設置される路上機器に取り付けられるケーブルカバーに関する。
【背景技術】
【０００２】
集合住宅やオフィスビルなどの建物の敷地内には、電力会社の地中ケーブルとユーザの地中ケーブルとを接続するために、高圧キャビネット（特許文献１）が設けられる。この高圧キャビネットには、一側面に開口が形成された略箱状の筐体と、この筐体を開閉する扉と、を備える。この筐体内部には、複数のモールドジスコンと、これらモールドジスコン同士を接続するモールド母線と、が設けられている。各モールドジスコンは、３つの接続部で構成される。
【０００３】
複数のモールドジスコンは、筐体内部の背面に略水平に並んで配置されている。よって、電力会社の地中ケーブルが接続される電力会社側モールドジスコンと、ユーザの地中ケーブルが接続されるユーザ側モールドジスコンとは、隣接して配置される。電力会社およびユーザ側の地中ケーブルは、高圧キャビネットの真下まで延びて、高圧キャビネットの筐体下面を下から貫通して、筐体内部に至る。この地中ケーブルの３つの先端には、端子板が取り付けられており、この端子板は、各モールドジスコンの接続部に接続される。
【０００４】
電力会社の作業員が高圧キャビネットの扉を開けて、電力会社側のモールドジスコンを作業する際、既にユーザ側のモールドジスコンに地中ケーブルが接続されており、かつ、このユーザの地中ケーブルが活電状態である場合がある。このとき、電力会社の作業員の安全性を確保する必要がある。
【先行技術文献】
【特許文献】
【０００５】
【特許文献１】特開平１０−１０７４５５号公報
【発明の概要】
【発明が解決しようとする課題】
【０００６】
したがって、本発明は、電力会社の作業員が路上機器内の作業を行う場合に、安全性を確保できるケーブルカバーを提案することを目的とする。
【課題を解決するための手段】
【０００７】
（１）本発明は、路上に設置される路上機器に用いられるケーブルカバーであって、前記路上機器は、一側面に開口が形成された略箱状の筐体と、この筐体を開閉する扉と、を備え、当該筐体内部には、電力会社の地中ケーブルが接続可能な電力会社側モールドジスコンと、ユーザの地中ケーブルが接続可能なユーザ側モールドジスコンと、これらモールドジスコン同士を接続するモールド母線と、が設けられ、前記モールドジスコンは、筐体内部の背面に並んで配置され、前記ユーザ側モールドジスコンの下方を覆うカバー部と、前記筐体内部の面に取り付けられて前記カバー部を支持する支持部と、を備えることを特徴とするケーブルカバーに関する。
【０００８】
（１）によれば、ケーブルカバーを、ユーザ側モールドジスコンの下方を覆うカバー部と、筐体内部の面に取り付けられてカバー部を支持する支持部と、を含んで構成した。
これにより、電力会社の作業員が路上機器内の作業を行う場合、支持部を筐体内部の面に取り付けると、ユーザ側モールドジスコンの下方がカバー部で覆われる。
したがって、作業員が、活電状態のユーザ側モールドジスコンの下方に誤って触れることを防ぎ、作業員の安全性を確保できる。
【０００９】
（２）（１）に記載の発明においては、前記支持部は、マグネットであることが好ましい。
【００１０】
（２）によれば、ケーブルカバーの支持部をマグネットにした。
これにより、ケーブルカバーを、支持部の磁力によって筐体内部に容易に着脱できる。
したがって、作業員が作業を行う場合の作業効率をより高めることができる。
【００１１】
（３）（２）に記載の発明においては、前記支持部は、前記筐体内部の背面に着脱されることが好ましい。
【００１２】
（３）によれば、ケーブルカバーの支持部を、筐体の内部の背面に着脱するようにした。
したがって、作業員がケーブルカバーを携帯して、作業前にケーブルカバーを筐体の内部に取り付け、作業後に筐体からケーブルカバーを取り外すことができるので、路上機器毎にケーブルカバーを取り付ける必要がなくなり、ケーブルカバーの製造数を抑制できるから、コストを削減できる。
【００１３】
（４）（３）に記載の発明においては、前記カバー部は、矩形平板状の第１部材と、当該第１部材の両端から当該第１部材に対して略垂直に延びる一対の平板状の第２部材と、を備え、前記支持部は、前記第２部材の先端に設けられることが好ましい。
【００１４】
（４）によれば、ケーブルカバーのカバー部を、矩形平板状の第１部材と、この第１部材の両端からこの第１部材に対して略垂直に延びる一対の平板状の第２部材と、を含んで構成し、支持部を、第２部材の先端に設けた。
これにより、活電状態のユーザ側モールドジスコンの下方の前面および両側の側面全体をケーブルカバーで覆うことができる。また、ケーブルカバーを筐体内部に安定した状態で取り付けることができる。したがって、作業者の安全性をより十分に確保できる。
【発明の効果】
【００１５】
本発明によれば、ケーブルカバーを、ユーザ側モールドジスコンの下方を覆うカバー部と、筐体内部の面に取り付けられてカバー部を支持する支持部と、を含んで構成した。
これにより、電力会社の作業員が路上機器内の作業を行う場合、支持部を筐体内部の面に取り付けると、ユーザ側モールドジスコンの下方がカバー部で覆われる。
したがって、作業員が、活電状態のユーザ側モールドジスコンの下方に誤って触れることを防ぎ、作業員の安全性を確保できる。
【図面の簡単な説明】
【００１６】
【図１】本発明の一実施形態に係るケーブルカバーの斜視図である。
【図２】本発明の一実施形態に係るケーブルカバーが適用される路上機器を示す。
【図３】本発明の一実施形態に係るケーブルカバーを路上機器に適用した状態を示す。
【図４】本発明の変形例に係るケーブルカバーの斜視図である。
【図５】本発明の別の変形例に係るケーブルカバーを路上機器に適用した状態を示す。
【発明を実施するための形態】
【００１７】
以下、本発明の実施形態について、図面に基づいて説明する。
図１は、本発明の一実施形態に係るケーブルカバー１の斜視図である。
ケーブルカバー１は、カバー部７と、支持部１０と、を備える。カバー部７は、第１部材８と、第２部材９と、を備える。カバー部７は、絶縁材料からなる。第１部材８は、矩形平板状である。第２部材９は、第１部材８の両端からこの第１部材８に対して略垂直に延びる一対の平板状である。支持部１０は、第２部材９の先端に設けられる。支持部１０は、マグネットである。
【００１８】
図２は、本発明の一実施形態に係るケーブルカバーが適用される路上機器１１を示す。
路上機器１１は、例えば、集合住宅やオフィスビルなどの建物の敷地内に設置され、電力会社の地中ケーブルとユーザの地中ケーブルとを接続するための高圧キャビネットである。路上機器１１は、筐体２と、扉３とを備える。
【００１９】
筐体２は、一側面に開口が形成された略箱状である。筐体２内部には、電力会社側モールドジスコン４と、ユーザ側モールドジスコン５と、モールド母線６と、電力会社側地中ケーブル１２と、ユーザ側地中ケーブル１３と、電力会社側端子板１４と、ユーザ側端子板１５と、が設けられる。
【００２０】
扉３は、筐体２を開閉する。扉３は、筐体２の電力会社側モールドジスコン４側の端部と、ユーザ側モールドジスコン５側の端部にそれぞれ設けられる。
【００２１】
電力会社側モールドジスコン４は、電力会社側地中ケーブル１２と接続する。電力会社側モールドジスコン４は、筐体２内部の背面に略水平に並んで配置される。
【００２２】
電力会社側地中ケーブル１２は、路上機器１１の真下まで延びて、路上機器１１の筐体２の下面を下から貫通して、筐体２内部に至る。電力会社側地中ケーブル１２は、６つ配置され、それぞれが電力会社側モールドジスコン４と接続される。電力会社側地中ケーブル１２のそれぞれの先端には、電力会社側モールドジスコン４の接続部に接続される電力会社側端子板１４が取り付けられる。
【００２３】
ユーザ側モールドジスコン５は、ユーザ側地中ケーブル１３と接続する。ユーザ側モールドジスコン５は、筐体２内部の背面に略水平に並んで配置される。電力会社側モールドジスコン４と、ユーザ側モールドジスコン５とは、隣接して配置される。
【００２４】
ユーザ側地中ケーブル１３は、路上機器１１の真下まで延びて、路上機器１１の筐体２の下面を下から貫通して、筐体２内部に至る。ユーザ側地中ケーブル１３は、３つ配置され、それぞれがユーザ側モールドジスコン５と接続される。ユーザ側地中ケーブル１３の３つの先端には、ユーザ側モールドジスコン５の接続部に接続されるユーザ側端子板１５が取り付けられる。ユーザ側地中ケーブル１３の３つの先端は、被覆されていない場合があるため、活電状態の場合がある。
【００２５】
モールド母線６は、電力会社側モールドジスコン４と、ユーザ側モールドジスコン５とを接続する。モールド母線６は、筐体２内部の背面に配置される。
【００２６】
次に、ケーブルカバー１の使用方法について説明する。
図３は、ケーブルカバー１を路上機器１１に適用した状態を示す。
図３に示すように、ケーブルカバー１の支持部１０を、この支持部１０の磁力により、ユーザ側地中ケーブル１３の先端付近の筐体２内部の面に取り付ける。支持部１０を筐体２内部の面に取り付けると、この支持部１０は、ケーブルカバー１を支持する。第１部材８は、ユーザ側地中ケーブル１３の前面を覆う。第２部材９は、ユーザ側地中ケーブル１３の両側の側面を覆う。第１部材８と、第２部材９とは、垂直に接続されているため、カバー部７は、地中ケーブル１３の前面および両側の側面全体を隙間無く覆う。ケーブルカバー１を筐体２内部の面に取り付けた状態で、作業員は、路上機器１１内の作業を行う。作業後、支持部１０を筐体２内部の面から取り外す。
【００２７】
本発明のケーブルカバー１によれば、以下のような効果を奏する。
（１）ケーブルカバー１を、ユーザ側モールドジスコン５の下方を覆うカバー部７と、筐体２内部の面に取り付けられてカバー部７を支持する支持部１０と、を含んで構成した。
これにより、電力会社の作業員が路上機器１１内の作業を行う場合、支持部１０を筐体２内部の面に取り付けると、ユーザ側モールドジスコン５の下方がカバー部７で覆われる。
したがって、作業員が、活電状態のユーザ側モールドジスコン５の下方に誤って触れることを防ぎ、作業員の安全性を確保できる。
【００２８】
（２）ケーブルカバー１の支持部１０をマグネットにした。
これにより、ケーブルカバー１を、支持部１０の磁力によって筐体２内部に容易に着脱できる。したがって、作業員が作業を行う場合の作業効率をより高めることができる。
【００２９】
（３）ケーブルカバー１の支持部１０を、筐体２の内部の背面に着脱するようにした。
したがって、作業員がケーブルカバー１を携帯して、作業前にケーブルカバー１を筐体２の内部に取り付け、作業後に筐体２からケーブルカバー１を取り外すことができるので、路上機器１１毎にケーブルカバー１を取り付ける必要がなくなり、ケーブルカバー１の製造数を抑制できるから、コストを削減できる。
【００３０】
（４）ケーブルカバー１のカバー部７を、矩形平板状の第１部材８と、この第１部材８の両端からこの第１部材８に対して略垂直に延びる一対の平板状の第２部材９と、を含んで構成し、支持部１０を、第２部材９の先端に設けた。
これにより、活電状態のユーザ側モールドジスコン５の下方の前面および両側の側面全体をケーブルカバー１で覆うことができる。また、ケーブルカバー１を筐体２内部に安定した状態で取り付けることができる。したがって、作業者の安全性をより十分に確保できる。
【００３１】
以上、本発明の実施形態を用いて説明したが、本発明の技術的範囲は上記実施形態に記載の範囲には限定されない。上記実施形態に、多様な変更または改良を加えることができる。
例えば、図４に示すように、ケーブルカバー１Ａの第１部材８Ａおよび第２部材９Ａの長手方向の長さを短くしてもよい。
このようにすれば、ケーブルカバー１Ａをより小型化できる。
また、例えば、図５に示すように、ケーブルカバー１Ｂを、ユーザ側モールドジスコン５側の扉３に既設してもよい。
このようにすれば、作業前にケーブルカバー１Ｂを取り付ける必要がなくなる。
【符号の説明】
【００３２】
１、１Ａ、１Ｂ  ケーブルカバー
２  筐体
３  扉
４  電力会社側モールドジスコン
５  ユーザ側モールドジスコン
６  モールド母線
７  カバー部
８、８Ａ  第１部材
９、９Ａ  第２部材
１０  支持部
１１  路上機器
１２  電力会社側地中ケーブル
１３  ユーザ側地中ケーブル
１４  電力会社側端子板
１５  ユーザ側端子板  
【図１】
2010233303.tif 000003
【図２】
2010233303.tif 000004
【図３】
2010233303.tif 000005
【図４】
2010233303.tif 000006
【図５】
2010233303.tif 000007